(57)【要約】【課題】開閉蓋の加工や取り替えを行うことなく既設の地下埋設ボックスＢに設置でき、第三者のボックス内無断立入を防止し、シリンダー錠の防塵・防水対策を不要とし中蓋の腐食を防止できるようにする。【解決手段】地下埋設ボックスＢの上部壁１の開口部２を、上蓋２２と、ロック装置５０つきの中蓋４１との二重蓋構造にて塞ぐようにし、中蓋４１をダクタル（登録商標）等の断熱性素材にて構成する。特に、中蓋４１を載置支持する中蓋支持枠体３１を開口部２内の壁面に固定し、ロック装置５０が、中蓋４１を中蓋支持枠体３１に結合させる構成とする。ロック装置５０は、キャップ５２より下方にシリンダー錠５３を配置するとともに、さらにその下方に、揺転して中蓋支持枠体３１に係止可能なロック片６８を備えた揺転係止機構５４を設ける。【選択図】      図１
2004346512.tif 000002
【特許請求の範囲】
【請求項１】
電力ケーブル・通信線等の配線及び配管類の分岐・接続用の各種機器が配置される地下埋設ボックス内への開口部に蓋をする地下埋設ボックスの蓋装置において、開口部の上方を覆うように設けた上蓋と、開口部内における上蓋の下方で設けた中蓋支持手段によって配置され、断熱性素材により形成した中蓋と、この中蓋に設けられ、中蓋を閉じ状態に地下埋設ボックスにロックするロック装置とを有することを特徴とする地下埋設ボックスの蓋装置。
【請求項２】
ロック装置は、地下埋設ボックスあるいは地下埋設ボックスの上部壁の開口部の内周面に固定した中蓋支持手段に対し、中蓋を結合・解放可能なものとさせる請求項１記載の地下埋設ボックスの蓋装置。
【請求項３】
ロック装置は、中蓋に配装されるハウジングと、このハウジングの上端開口部分にはめ込まれるキャップと、ハウジング内のキャップより下方に挿脱自在に収納配置され、ハウジングに施錠時では係止し、解錠時では解放されるシリンダー錠と、ハウジング内のシリンダー錠より下方に収納配置され、揺転して中蓋支持手段に係止可能なロック片を備えた揺転係止機構とを有する請求項１または２記載の地下埋設ボックスの蓋装置。
【請求項４】
中蓋支持手段は、地下埋設ボックスの上部壁の開口部に設けられる略逆Ｌ字形状に形成されている固定金具と、この固定金具に支持される中蓋支持部材とから成る請求項１乃至３のいずれか記載の地下埋設ボックスの蓋装置。
【請求項５】
中蓋支持手段は、地下埋設ボックスの上部壁底面に配置され、上部壁の開口部に比し小さい径の中蓋部材を支持する相互に接合一体化された中蓋支持盤と、この中蓋支持盤を上部壁底面に固着する固着部材とを備えて成る請求項１乃至３のいずれか記載の地下埋設ボックスの蓋装置。
【請求項６】
中蓋支持手段は、地下埋設ボックス内の側壁面に固着配置されている支持支柱材に装架固定される固定ベース材と、地下埋設ボックスの上部壁の底面に配置され、上部壁の開口部に比し小さい径の中蓋部材を支持する相互に接合一体化された中蓋支持盤と、この中蓋支持盤を上部壁底面に押し付けるよう固定ベース材の下方から進退自在にネジ入れられ、先端縁が中蓋支持盤底面に圧止する押し付け部材とを備えて成る請求項１乃至３のいずれか記載の地下埋設ボックスの蓋装置。
【請求項７】
中蓋支持盤は、平面で半割状に分割されることで、分割された半割中蓋支持盤それぞれは中蓋部材を支持する内縁が形成された平面から見てほぼコ字状を呈し、半割中蓋支持盤の接合面縁には接続ピンと、この接続ピンが挿入される接続挿入孔とを有する請求項５または６に記載の地下埋設ボックスの蓋装置。
【請求項８】
中蓋支持手段は、地下埋設ボックスの上部壁に開口形成されている開口部を下方に行くに従い次第に小径となるテーパー状に形成すると共に、中蓋部材を載置支持する枠状の中蓋支持枠材の外周縁によって開口部内縁に強制的に係止させるようにしてある請求項１乃至３のいずれか記載の地下埋設ボックスの蓋装置。
【請求項９】
中蓋支持手段は、地下埋設ボックスの上部壁の開口部内周縁面に取付支持孔を開穿しておき、開口部の内周径に比しやや小さくした外周径に形成した中蓋支持枠体の外周縁面に、取付支持孔内に挿入される進退自在な支持圧止ロッド材を配装して成る請求項１乃至３のいずれか記載の地下埋設ボックスの蓋装置。
【発明の詳細な説明】
【０００１】
【発明の属する技術分野】
本発明は、各種の電力ケーブル、通信線その他の配線、配管類を地中において分岐、接続その他のために埋設されている、情報ボックス（Ｃ．Ｃ．Ｂｏｘ）と称されているハンドホール・マンホール等の地下埋設ボックス内への第三者の無断立入を禁止するための地下埋設ボックスの蓋装置に関する。
【０００２】
【従来の技術】
従来から電力ケーブル等の分岐、接続その他のため、情報ボックスと称されるハンドホール・マンホール等の各種の地下埋設ボックスが地表面にその開口部を位置させて埋設されており、この地下埋設ボックス内には、電力ケーブル、通信線その他の配線、配管類の分岐、接続用の各種機器が配置されている。この地下埋設ボックスの地上側には開閉蓋が設けられていて、作業員等が地下埋設ボックス内の各種機器の保守点検等を行なう際には、この開閉蓋を取り外し、開放させた開口部から入坑している。
【０００３】
【発明が解決しようとする課題】
このような従来提案の開閉蓋は、これを開けば地下埋設ボックス内に第三者が簡単に無断で立ち入ることが可能となっている故に、これを防止するため、開閉蓋を加工しシリンダーロック装置を取り付けたり、あるいはシリンダーロック装置付きの新たな開閉蓋に取り替えたりすることが必要となる。しかしながら、既存の開閉蓋を加工する場合には、地下埋設ボックスの開口部側に設けられた開閉蓋を支持する受け枠についても加工をしなければならず、非常に手間がかかる。また、ロック装置付きの新たな開閉蓋に取り替える場合においても、既存の受け枠との互換性（相性）が問題となり、場合によってはガタつきが生じる可能性がある。さらに、シリンダー錠やキャップに砂や塵が詰まって取り外しが困難となったり、シリンダー錠の防水対策（寒冷地では凍結対策）が別途必要となったりする。さらに、開閉蓋を介し地熱が地上側に伝わりやすいので、例えば積雪時において蓋上の雪が溶けて凹凸となり歩行・車輌通行を阻害する場合がある。
【０００４】
そこで、開閉蓋の内側に、新たにロック装置付きの中蓋を設け、開閉蓋が開かれても中蓋で開口部を遮断することが考えられている。この場合、中蓋は開口部における開閉蓋のさらに下方に別途設けた受け枠によって支持されるものとされる。
【０００５】
しかしながら、このような開閉蓋及び中蓋を備えた蓋装置によった場合には、中蓋の材質を鋳物その他の通常の金属材料とすると、特に東北地方、北海道地方等の寒冷地では上蓋と中蓋との空間部分の年間の大きな温度変化（例えば−１０℃〜＋６０℃の範囲）及び湿度変化によって腐食しやすく、また、寒冷地においての強制的な融雪による雪解け水に含まれている融雪剤等の塩分のため特に腐食しやすくなる。
【０００６】
そこで本発明は叙上のような従来存した諸事情に鑑み創出されたもので、上述したような開閉蓋の加工や取り替えを行うことなく既設の各種構造の地下埋設ボックスであってもそれらに対応して簡単に設置でき、第三者の地下埋設ボックス内への無断立入を防止し、しかもシリンダー錠の防塵・防水対策を不要とし中蓋の腐食を防止できるようにした地下埋設ボックスの蓋装置を提供することを目的とする。
【０００７】
【課題を解決するための手段】
上述した課題を解決するため、本発明にあっては、電力ケーブル・通信線等の配線及び配管類の分岐・接続用の各種機器が配置される地下埋設ボックスＢ内への開口部２に蓋をする地下埋設ボックスＢの蓋装置において、開口部２の上方を覆うように設けた上蓋２２と、開口部２内における上蓋２２の下方で、地下埋設ボックスＢあるいは開口部２内に設けた中蓋支持手段４０によって配置され、断熱性素材により形成した中蓋４１と、この中蓋４１に設けられ、中蓋４１を閉じ状態にロックするロック装置５０とを有するものとする。
ロック装置５０は、地下埋設ボックスＢの開口部２の内周面に固定した中蓋支持手段４０に対し、中蓋４１を結合・解放可能なものとさせる構成とすることができる。
ロック装置５０は、中蓋４１に配装されるハウジング５１と、このハウジング５１の上端開口部分にはめ込まれるキャップ５２と、ハウジング５１内のキャップ５２より下方に挿脱自在に収納配置され、ハウジング５１に施錠時では係止し、解錠時では解放されるシリンダー錠５３と、ハウジング５１内のシリンダー錠５３より下方に収納配置され、揺転して中蓋支持手段４０に係止可能なロック片６８を備えた揺転係止機構５４とを有する構成とすることができる。
中蓋支持手段４０は、その第１として、地下埋設ボックスＢの上部壁１の開口部２に設けられる略逆Ｌ字形状に形成されている固定金具３２と、この固定金具３２に支持される中蓋支持部材３１とから構成することができる。
その第２として、地下埋設ボックスＢの上部壁１底面に配置され、上部壁１の開口部２に比し小さい径の中蓋部材３０を支持する相互に接合一体化された中蓋支持盤８１と、この中蓋支持盤８１を上部壁１底面に固着する固着部材８５とを備えて構成することできる。中蓋支持盤８１自体は、平面で半割状に分割されることで、分割された半割中蓋支持盤８１Ａそれぞれは中蓋部材３０を支持する内縁が形成された平面から見てほぼコ字状を呈し、半割中蓋支持盤８１Ａの接合面縁には接続ピン８２と、この接続ピン８２が挿入される接続挿入孔８３とを有することで構成できる。
その第３として、地下埋設ボックスＢ内の側壁面に固着配置されている支持支柱材８７に装架固定される固定ベース材８８と、地下埋設ボックスＢの上部壁１の底面に配置され、上部壁１の開口部２に比し小さい径の中蓋部材３０を支持する相互に接合一体化された中蓋支持盤８１と、この中蓋支持盤８１を上部壁１底面に押し付けるよう固定ベース材８８の下方から進退自在にネジ入れられ、先端縁が中蓋支持盤８１底面に圧止する押し付け部材８９とを備えて構成することができる。
その第４として、地下埋設ボックスＢの上部壁１に開口形成されている開口部２を下方に行くに従い次第に小径となるテーパー状に形成すると共に、中蓋部材３０を載置支持する枠状の中蓋支持枠材９１の外周縁によって開口部２内縁に強制的に係止させるようにして構成することができる。
その第５として、地下埋設ボックスＢの上部壁１の開口部２内周縁面に取付支持孔９４を開穿しておき、開口部２の内周径に比しやや小さくした外周径に形成した中蓋支持枠体９５の外周縁面に、取付支持孔９４内に挿入される進退自在な支持圧止ロッド材９６を配装して構成することができる。
【０００８】
以上のように構成された本発明に係る地下埋設ボックスの蓋装置にあって、まず中蓋４１を地下埋設ボックスＢ内への開口部２の下方に配置し、中蓋４１に設けたロック装置５０によって中蓋４１を閉じ状態にロックし、このロックした中蓋４１の上方に上蓋２２を開口部２を覆うように設ける。このようにしてロック装置５０で中蓋４１をロックすることで、第三者等の地下埋設ボックスＢ内への無断立入、収納物品等に対する不正操作、悪戯その他を防止できる。
ロック装置５０で中蓋４１を中蓋支持手段４０に強固に結合させることにより、簡単な構造で確実に中蓋４１をロックすることができる。
ロック装置５０のハウジング５１内下方に収納配置したロック片６８を揺転させ、中蓋支持枠体３１に係止させて強固に結合固定し、またハウジング５１内に上方からシリンダー錠５３を挿入配置して施錠することでハウジング５１内から取り出せないようにした後、ハウジング５１にキャップ５２をはめ込むことにより、第三者によるロック装置５０のロック解除ができないようにすることができる。
中蓋支持手段４０の第１のものによる固定金具３２は、開口部２の内周縁に固着されることで中蓋支持部材３１を介して中蓋部材３０を支持し、既設の地下埋設ボックスＢにおける上部壁１に後付け式で付設固定させる。
上部壁１の底面に配置される中蓋支持盤８１を固着部材８５あるいは押し付け部材８９によって固着支持させる第２あるいは第３のものの中蓋支持手段４０は、上部壁１の底面にその下方から中蓋支持盤８１を固着部材８５を介して固着させ、あるいは押し付け部材８９を介して押し付けさせ、固定配置させる。
このときの中蓋支持盤８１自体は、平面から見てほぼコ字形状を呈する半割中蓋支持盤８１Ａの互いに接合面によって一体結合化され、例えば地下埋設ボックスＢ内に作業員が入坑可能であれば、分解した半割中蓋支持盤８１Ａそれぞれを地下埋設ボックスＢに一旦は挿入した後、これらを結合一体化することで中蓋部材３０を形成させる。
また第３の中蓋支持手段４０による中蓋部材３０の支持は、地下埋設ボックスＢ内に存する既設の支持支柱材８７を利用させ、固定ベース材８８に下方からネジ入れられた押し付け部材８９による圧止作用で中蓋部材３０を上部壁１底面に固定させる。
第４の中蓋支持手段４０の中蓋支持枠材９１はいわば落とし込み式にテーパー状の開口部２に強制的にでも載置固定させて、中蓋支持枠材９１によって中蓋部材３０を支持させる。
更に中蓋支持手段４０における第５のものは、後退していた支持圧止ロッド材９６の開口部２に開穿形成した取付支持孔９４内への突出前進で、中蓋支持枠体９５をいわば突っ張り状にして支持させ、中蓋支持枠体９５で中蓋部材３０を支持させる。
第４及び第５の中蓋支持手段４０では、上部壁１の上方位置での作業等で実施できることで地下埋設ボックスＢ内に作業員が入坑する必要がなく、地下埋設ボックスＢ内に設置固定されてい既設の各種の配線部材等を不意な作業で損傷させずに済み、例えば精密な設置が要求される光ファイバー資材類に対する悪影響等を事前に回避させる。
【０００９】
【発明の実施の形態】
以下図面を参照して本発明の一実施の形態を説明すると、図１において示される符号１は地下埋設ボックスＢの上部壁である。地下埋設ボックスＢは、情報ボックスと称されるハンドホール・マンホール等であり、例えば電力ケーブル等の分岐、接続その他のために設けられるものである。この地下埋設ボックスＢ内には、電力ケーブル、通信線その他の配線、配管類の分岐、接続用の各種機器が配置されている。埋設ボックスの上部壁１には、開口部２を形成してある。
【００１０】
上部壁１には、略円環状の上蓋支持部材３が設けられる。この上蓋支持部材３の内周側には、地下埋設ボックスＢの上部壁側の開口部２とほぼ同径同形状の開口部４が形成されており、この開口部４が開口部２と連通し連続するようにした状態で上蓋支持部材３は上部壁１に密着させて配置するものとされる。また、この上蓋支持部材３の外周部には、上蓋支持部材３を地下埋設ボックスＢの上部壁１に固定するための例えばドーナツ状を呈する固定金具５が設けられる。固定金具５は、横断面が略Ｌ字形状（いわゆるアングル形状）であり、設置状態で略鉛直方向に立設される鉛直部５ａと、設置状態で略水平方向に配設される水平部５ｂとから構成される。
【００１１】
鉛直部５ａにはその周方向の複数箇所に貫通孔が設けられ、これらの貫通孔に取付ネジ７が略水平方向に貫入され、さらにその先端は上蓋支持部材３の外周側より径方向内周側に向かって略水平方向に複数個設けたネジ孔にねじ込まれ締結される。同様に、水平部５ｂにはその周方向の複数箇所に貫通孔が設けられ、これらの貫通孔に取付ネジ１０が略鉛直方向に貫入され、さらにその先端は地下埋設ボックスＢの上部壁１の対応する部分において略鉛直方向に複数個設けたネジ孔にネジ込まれ締結される。こうすることにより、取付ネジ７，１０を介し固定金具５によって上蓋支持部材３が地下埋設ボックスＢの上部壁１に強固に固定されるのである。
【００１２】
上蓋支持部材３上には、前述の開口部２を覆うように、表面が設置すべき地面Ｇと略同一レベルになる略円盤状の上蓋部材２０が載置され取り付けられる。この上蓋部材２０は、例えば鉄製であって裏面にリブ２２ａ付きの略円板形状からなる蓋本体部２２と、下面を上蓋支持部材３に接するとともに蓋本体部２２を載置支持する蓋外縁部材２１とから構成されている。蓋本体部２２の上面は、図１に示すように地面Ｇとほぼ同レベルにある。蓋外縁部材２１は、その内周側に密閉空間を形成するように略短尺円筒状にされた略円筒部２１ａと、この略円筒部２１ａの周方向複数箇所（例えば４箇所）においてその外周側に張り出すように設けられた取付けブラケット部２１ｂとを備えている。
【００１３】
略円筒部２１ａの内壁面２３の内径は、上蓋支持部材３の内周側の開口部４とほぼ同径同形状である。そして、内壁面２３の内径が上蓋支持部材３の開口部４と連通し連続するように蓋外縁部材２１が上蓋支持部材３面上に配置され、蓋外縁部材２１の略円筒部２１ａ内周側に突出させて設けた上蓋受け部２１ｃに蓋本体部２２の外縁部が係合することにより、蓋本体部２２が開口部２，４と同一軸心にて載置支持されるのである。なお、蓋本体部２２の内部には、ピン２４を介してフック２５が設けられていて、上蓋部材２０を蓋外縁部材２１に対し開閉自在にしてある。
【００１４】
複数の蓋外縁部材２１のそれぞれには、取付用の貫通孔が備えられており、例えばこれらの貫通孔に取付ネジ２７が略鉛直下方向に貫入され、さらにその先端は上蓋支持部材３の対応する部分において略鉛直方向に複数個設けたネジ孔にねじ込まれ締結される。これにより、取付ネジ２７を介し上蓋部材２０を上蓋支持部材３に固定するものとされる。
【００１５】
一方、地下埋設ボックスＢの開口部２内、即ち上蓋部材２０の下方空間内には、中蓋支持手段４０を介して中蓋部材３０が設けられる。この中蓋部材３０は図２（ａ）及び図２（ｂ）に示すように、略円板形状の中蓋本体部４１と、取手部４２とから構成される。
【００１６】
中蓋本体部４１は、断熱性素材、例えば、セメント材を基材としてこれに珪砂、反応性微粉末を使用して製造した無機系複合材料である複合セメント材（太平洋セメント株式会社製造のダクタル（登録商標）プレミックス）により、薄型化で且つ軽量化が可能となるように形成される。このダクタル（登録商標）は各種微細粒子により構成されたその織密性ゆえ、超高強度であり、凍結融解抵抗性、中性化、耐塩害性に対しても高い性能を有し、超長期の高耐久性が期待できるものである。また、中蓋本体部４１のうち、一部（図示の例では周方向一箇所）には、差込固定用の段付き舌部４１Ａが設けられている。
【００１７】
取手部４２は、図示の例では中蓋本体部４１の上面２箇所に設けられており、作業員が手で把持するための把持部４２ａと取付部４２ｂとから構成されている。取付部４２ｂは、その貫通孔に挿通された取付ボルト４４が、さらに中蓋本体部４１に設けた貫通孔に挿通され、中蓋本体部４１の反対側（裏側）でナットがねじ止めされることによって、中蓋本体部４１に固定される。
【００１８】
この中蓋部材３０を支持する中蓋支持手段４０は、図１，図２に示される第１の実施の形態では、開口部２内周面に固着される固定金具３２と、この固定金具３２によって固定支持される中蓋支持枠体３１とから成っている。固定金具３２は、開口部２の下端部近傍に設けられ、縦断面が略逆Ｌ字形状（いわゆるアングル形状）であり、設置状態で略鉛直方向に立設される鉛直部３２ａと、設置状態で略水平方向に配設される水平部３２ｂとから構成される。
【００１９】
鉛直部３２ａにはその周方向複数箇所に貫通孔が設けられ、これらの貫通孔に取付ネジ３４が略水平方向に貫入され、さらにその先端は地下埋設ボックスＢの上部壁１に開口部２側より径方向外周側に向かって略水平方向に複数個設けたネジ孔（インサートナット具等）にねじ込まれ締結される。同様に、水平部３２ｂにはその周方向複数箇所に貫通孔が設けられ、これらの貫通孔に取付ネジ３７が略鉛直上方向に貫入され、さらにその先端は略円環状の中蓋支持枠体３１の対応する部分において略鉛直方向に複数個設けたネジ孔にねじ込まれ締結される。こうすることにより、取付ネジ３４，３７によって中蓋支持枠体３１が地下埋設ボックスＢの上部壁１の開口部２内周に強固に固定されるのである。
【００２０】
中蓋支持枠体３１は縦断面形状が略Ｌ字形状の略円環枠体であり、下方に位置しその内径が小さい下枠部３１Ｌと、この下枠部３１Ｌの上方に位置しその内径が下枠部３１Ｌに比し大きい上枠部３１Ｕとを備え、上枠部３１Ｕと下枠部３１Ｌとの内径の差により生じる段差部分、すなわち下枠部３１Ｌの上面によって中蓋本体部４１の外縁部４１ａ下面を載置支持することで、中蓋本体部４１は上枠部３１Ｕの内周側に位置するものとされている。
【００２１】
また、上枠部３１Ｕのうち前述の中蓋本体部段付き舌部４１Ａに相当する位置には、下枠部３１Ｌに近い下部を切り込むことで係止溝部４７が形成されている。中蓋本体部４１を閉める際は、この係止溝部４７に段付き舌部４１Ａを挿入することで中蓋本体部４１の一方側（図２（ａ）、図２（ｂ）中の図面右側）を持ち上がらないようにロックするものとされている。
【００２２】
ここで、中蓋本体部４１の他方側（図２（ａ）、図２（ｂ）中の図面左側）については、中蓋本体部４１に形成した貫通孔に貫通配置したロック装置５０によってロックを行う。図３（ａ）及び図３（ｂ）に示すようにロック装置５０は、ハウジング５１と、キャップ５２と、シリンダー錠５３と、揺転係止機構５４とから構成されている。
【００２３】
ハウジング５１は貫通孔に貫通固定されるもので、中蓋本体部４１上面に位置する略長方形平板状のフランジ部５１Ａと、取り付け状態でこのフランジ部５１Ａより上方（すなわち中蓋本体部４１上方）に位置する略円筒状のシリンダー錠収納部５１Ｂと、取り付け状態でフランジ部５１Ａより下方（すなわち中蓋本体部４１内）に位置する略円筒状の揺転係止機構収納部５１Ｃとを備えている。
【００２４】
フランジ部５１Ａには、複数箇所例えば４箇所に貫通孔４９が設けられており、これら貫通孔４９に挿通される取り付けネジ（図示省略）によってロック装置５０が中蓋本体部４１に固定されるのである。
【００２５】
シリンダー錠収納部５１Ｂの上端は開口しており、その開口部分にキャップ５２がねじ込まれる。図４（ａ）及び図４（ｂ）に示すように、キャップ５２は、後述の取り外し治具と空転することなく嵌合する嵌め合い部５５，５６を上面に備えた頭部５２Ａと、この頭部５２Ａの下部に連設され頭部５２Ａよりも小径のはめ込み部５２Ｂとから構成されている。はめ込み部５２Ｂの外周側にはシリンダー錠収納部５１Ｂ内周側に形成されたメネジ部５７と螺合可能なオネジ部５８が形成されている。頭部５２Ａの嵌め合い部５５，５６の凹凸形状に係合する凸凹形状を備えた適宜の取り外し治具（図示せず）を用いてはめ込み部５２Ｂのオネジ部５８をメネジ部５７にねじ込ませていき、頭部５２Ａをシリンダー錠収納部５１Ｂ上端部に当接密着させることにより、ハウジング５１内部に閉空間を形成するものとされる。
【００２６】
またシリンダー錠収納部５１Ｂのキャップ５２より下方に、シリンダー錠５３が収納配置される。図５（ａ）はこのシリンダー錠５３の詳細構造を表す図３（ａ）中の部分抽出側面図であり、図５（ｂ）はその上面図である。これら図５（ａ）及び図５（ｂ）に示すように、シリンダー錠５３はこの種のものとして公知のものであり、収納配置状態で上端に位置する鍔部５９と、この鍔部５９の下方に連設されるシリンダー本体６０と、このシリンダー本体６０に回転可能に設けられた回転係止部６１とを備えている。
【００２７】
回転係止部６１は、その回転中心がシリンダー本体６０の軸心から偏心して設けられており、鍵穴６２に所定の鍵Ｋを差し込んで回すことにより、これに応じて回転係止部６１が偏心した回転軸まわりに回転し、シリンダー本体６０の外径範囲内外で出没するようにされる。すなわち、鍵Ｋを一方向に回すと回転係止部６１が外径範囲内より突出し（図５（ａ）に示す状態）、この状態ではシリンダー錠５３を上方へ引き抜こうとしても、回転係止部６１がハウジングシリンダー錠収納部５１Ｂの内径側に凸設された略円環状の抜け止め鍔部５１ａにひっかかって引き抜くことができないようにされるのである。この状態から鍵Ｋを他方向に回すと回転係止部６１が外径範囲内に没入収納されるため、回転係止部６１が抜け止め鍔部５１ａにひっかかることなくシリンダー錠５３をハウジング５１の上方へ引き出すことができる。
【００２８】
シリンダー錠収納部５１Ｂの下端部からフランジ部５１Ａを挟み揺転係止機構収納部５１Ｃにかけて、揺転係止機構５４が収納配置されている。この揺転係止機構５４は、略太丸棒状のロック軸部材６３と、位置決め用のばね６４と、係止用のロック片部材６５とから構成されている。
【００２９】
ロック軸部材６３は、ハウジング５１のフランジ部５１Ａに形成した貫通孔を貫通して配置される軸本体６６と、この軸本体６６の上端部に設けた半割れ凹凸係合部６７とを備えている。半割れ凹凸係合部６７は、上部から見た円形形状のうち、一方側半分が相対的に凸形状となる凸部６７Ａ、他方側半分が相対的に凹形状となる凹部６７Ｂとなっている。この半割れ凹凸係合部６７の外径はフランジ部５１Ａの貫通孔の内径よりも大きく、これによってロック軸部材６３がハウジング５１より下方へ抜け落ちるのを防止するとともに、半割れ凹凸係合部６７の下端部がフランジ部５１Ａの上面に接触しつつ摺動してロック軸部材６３がフランジ部５１Ａに対し相対的に揺転可能とされているのである。なお、通常の収納配置状態（図３（ａ）に示す状態）では、シリンダー錠５３の自重は、その下端部（すなわち回転係止部６１の下部）が揺転係止機構５４の上端部（すなわち半割れ凹凸係合部６７）に接することによって支持されている。
【００３０】
またロック軸部材６３の軸本体６６の外周側にはオネジ部が形成されており、ロック片部材６５のロック片本体６８にはこれに対応するメネジ部（図示せず）が形成されている。そして、例えば、ロック片本体６８のメネジ部をオネジ部にねじ合わせ、その状態で溶接固着することにより、軸部材６３の下端部にロック片部材６５が一体的に固定されているのである。ロック片本体６８の先端側（図３（ａ）中の図面左側）と反対側にはガイド用突起部６９が設けられている。ハウジング５１の揺転係止機構収納部５１Ｃはその下端側にガイド用スカート部７０が延設されており、ロック片部材６５のガイド用突起部６９はそのガイド用スカート部７０に形成されたガイドスリット７１に挿入配置されている。これにより、ロック片部材６５は、ガイド用突起部６９がガイドスリット７１の始端部から終端部までに移動できる限りの範囲において揺転可能とされている。
【００３１】
位置決め用のばね６４は、ハウジング５１の揺転係止機構収納部５１Ｃ内において、その上端部がハウジング５１のフランジ部５１Ａの下面に当接するとともに下端部はロック片本体６８の上面に当接しており、これによってロック片部材６５をフランジ部５１Ａより離間させる向きに弾接付勢している。
【００３２】
以上の構造により、図６に示すように半割れ凹凸係合部６７の凸部６７Ａ及び凹部６７Ｂによる凹凸形状と係合する凸凹形状を備えた適宜の揺転用治具７５を係合させて軸部材６３を揺転させることにより、軸部材６３と一体となったロック片部材６５がそのガイド用突起部６９をガイド用スカート部７０のガイドスリット７１にガイドされながら揺転するものとされる。このとき、ガイド用スカート部７０のガイドスリット７１は、水平方向かつ周方向に一直線形状でなくわずかに上方に屈曲したへの字形状、すなわち始端部及び終端部が中間部よりわずかに下方位置となる形状（図７参照）に形成されており、この形状との位置決め用ばね６４との相互作用により、ロック片部材６５が揺転されるときには、ガイド用突起部６９が常時ガイドスリット７１の始端部か終端部のいずれかに選択的に位置するように、その揺転動作が誘導される。
【００３３】
すなわち、図２（ａ）及び図２（ｂ）に示す例では、ロック片部材６５は、図２（ａ）及び図２中の図面左側（中蓋部材３０の径方向外側）へ向かって最も突出したロック位置（ガイドスリット７１の始端部に対応）か、それから例えば９０°揺転したアンロック位置（ガイドスリット７１の終端部に対応）のいずれか一方の位置に選択的に機械的に切り替えられるようにされるのである。
【００３４】
以上のようにして構成された地下埋設ボックスＢの蓋装置の使用の一例を説明するに、各種機器の保守点検等に際し作業員等が地下埋設ボックスＢ内に立ち入ろうとする場合には、上蓋部材２０の蓋外縁部材２１上に載置された蓋本体部２２を取り外し、中蓋部材３０を露出させる。その後、適宜の取り外し治具を用いて中蓋本体部４１の一方側（図１、図２では左側）に設けたロック装置５０のキャップ５２を外し、さらに鍵Ｋを差し込みシリンダー錠５３を解錠してハウジング５１内から取り出し、軸部材６３の半割れ凹凸係合部６７を露出させる。そして、適宜の揺転用治具７５を半割れ凹凸係合部６７に係合させてロック軸部材６３を介しロック片部材６５を揺転させ、ロック片本体６８を中蓋支持枠体３１の下枠部３１Ｌの下端面３１ａに当接係合した状態から脱出させる。これにより、中蓋本体部４１の他方側（図１、図２では右側）に設けた段付き舌部４１Ａを中蓋支持枠体３１の係止溝部４７から引き出すことで、ロック装置５０を介した中蓋部材３０と中蓋支持枠体３１との結合を切り離し（ロックを解除し）、中蓋部材３０を取り外して地下埋設ボックスＢの上部壁１の開口部２を開放する。
【００３５】
作業員等による保守点検等が終了した場合は、ほぼと逆の手順を行えば足りる。すなわち、中蓋本体部４１の段付き舌部４１Ａを中蓋支持枠体３１の係止溝部４７内に挿入しつつ、中蓋本体部４１のロック装置５０側についても中蓋支持枠体３１の下枠部３１上に載置する。そして、適宜の揺転用治具７５を半割れ凹凸係合部６７に係合させてロック軸部材６３を介しロック片部材６５を先述とは逆向きに揺転させ、ロック片本体６８を中蓋支持枠体３１の下枠部３１Ｌの下端面３１ａに当接係合した状態とし、中蓋部材３０を中蓋支持枠体３１に強固に結合固定する（ロックする）。その後、露出した半割れ凹凸係合部６７を隠すようにハウジング５１内にシリンダー錠５３を挿入配置し、鍵Ｋを差し込んで施錠しハウジング５１内から取り出せないようにする。その後、適宜の取り外し治具を用いてキャップ５２をはめ込んだ後、最後に、蓋本体部２２を上蓋部材２０の蓋外縁部材２１上に載置するのである。
【００３６】
なお、以上は略円形の開口部２に、これに対応した略円環状又は略円形等の上蓋支持部材３、上蓋部材３０、中蓋支持枠体３１、中蓋部材３０等を設けた場合の実施形態であったが、他の実施形態として、四角形（長方形）の開口部に対応した構成を図８乃至図１０に示す。また、図８、図９、図１０（ａ）、及び図１０（ｂ）において、先の実施形態と同一の部分には同一の符号を付し、それぞれ説明を適宜省略する。
【００３７】
図８及び図９において、この実施形態では、地下埋設ボックスＢの上部壁の開口部（図示せず）のさらに上部に設けた略四角筒状の開口部４に蓋装置が設けられており、略四角形（略長方形）形状の上蓋部材２０、中蓋部材３０が備えられている。なお、略四角枠体形状の中蓋支持枠体３１は、横断面形状が階段状となっている。すなわち、下枠部３１Ｌと上枠部３１Ｕとの段差部によって先述の実施形態のように中蓋本体部４１の外縁部を支持する際、その段差部よりさらに下に別の段差部があり、この段差部に、中蓋部材３０が開口部４中へ落下するのを防止するための網状又は格子状の落下防止部材１４８が別に設けられている。
【００３８】
また、図１０（ａ）及び図１０（ｂ）に示すロック装置５０においては、キャップ１５２と揺転係止機構５４上端部の形状が異なっている。すなわち、この実施形態では、キャップ１５２は、多少の弾性を備えた材料（例えばゴムやプラスチック）で構成されたタイプのものであり、ハウジング５１のシリンダー錠収納部５１Ｂの上端部に設けたキャップ収納領域に弾性的にはめ込まれるものとされる。またキャップ１５２内には磁石１５２Ａが設けられており、キャップ収納領域より取り出す際には、より強力な磁石を備えた治具を用いる。
【００３９】
また、揺転係止機構５４のロック軸部材６３において、軸本体６６の上端部には先述の半割れ凹凸係合部６７に代えて正方形の凹部１６７Ｂとその周囲の凸部１６７Ａとを備えた凹凸係合部１６７が設けられる。これを揺転させるときにはこの凹凸形状に対応した凸凹形状を備えた別の治具を用いるものとされている。このような実施形態によっても、先述の実施形態と同等の効果を得る。
【００４０】
また図１１乃至図２０においては、中蓋支持手段４０における異なる実施の形態が示されている。図１１乃至図１３における第２の実施の形態では、地下埋設ボックスＢの上部壁１底面に配置され、上部壁１の開口部２に比し小さい径の中蓋部材３０を支持するよう相互に接合一体化される中蓋支持盤８１と、この中蓋支持盤８１を上部壁１底面に固着する固着部材８５とを備えて成る。中蓋部材３０自体は上述したように平面でほぼ円形状を呈し、上部壁１の開口部２に比し大きくはなく、開口部２内を挿通させることで地下埋設ボックスＢを開閉させるものとしてあって、中蓋支持盤８１の円形状の内縁例えば内縁段部に支持載置されるものとしてある。
【００４１】
接合された中蓋支持盤８１自体は、その外形が平面でほぼ正方形状を呈するものとされるも、開口部２の内縁に比し外側方に延成される部位において固着部材８５によって上部壁１に固着させるための固着域面が確保されればよいから、平面から見て正方形状に限定されるものではない。また中蓋支持盤８１自体は平面で半割状に分割されることで、分割された半割中蓋支持盤８１Ａそれぞれは半円形状の内縁が形成された平面から見てほぼコ字状を呈し、半割中蓋支持盤８１Ａの接合面縁には、例えば左右で対称配置した接続ピン８２と、この接続ピン８２が挿入される接続挿入孔８３とを有し、互いに相対向させたとき接続ピン８２、接続挿入孔８３が互いに挿入されるように位置合わせして接合一体化されるようにしてある。なおこの中蓋支持盤８１は、例えば鋼板材、コンクリート材その他によって成型され、その開口縁の段部に中蓋部材３０を載置し、開口内縁下面にロック装置５０のロック片本体５８が係脱自在に係止されるものとしてある。
【００４２】
固着部材８５は、中蓋支持盤８１に貫挿されて、上部壁１の底面にネジ止めされるボルト材としてある。この固着部材８５を中蓋支持盤８１に貫挿させる貫挿孔８４が中蓋支持盤８１自体に例えばその四隅位置に複数にして配列され、例えば設置現場における上部壁１の底面にドリル開穿された埋入孔に現場加工で埋入設置されるインサートナット具にねじ止めされるものとするとき、上部壁１を構成するよう内部に配筋されている鉄筋材を回避して適宜に開穿形成される場合の埋入孔位置のいずれかに対応されるように考慮してある。
【００４３】
この中蓋支持盤８１を上部壁１底面に固着するには、半割状に分割されている半割中蓋支持盤８１Ａを分割された状態のままで地下埋設ボックスＢ内部に差し入れ、地下埋設ボックスＢ内部で接合一体化作業を行う。一方、上部壁１の底面にインサートナット具を埋入固定し、それに位置合わせした貫挿孔８４に固着部材８５を貫挿させることで中蓋支持盤８１を開口部２の下方位置の上部壁１底面に固定支持する。その後に、この中蓋支持盤８１に中蓋部材３０を支持配置させればよいのである。
【００４４】
図１４乃至図１６における第３の実施の形態では、地下埋設ボックスＢ内の側壁面に固着配置されている例えば配線部材支持用の例えば断面で溝形状の支持支柱材８７を利用して上記の中蓋支持盤８１を支持配置するようにしたものである。すなわち、支持支柱材８７に装架固定される例えば断面でＬ字状の固定ベース材８８と、地下埋設ボックスＢの上部壁１の底面に配置され、上部壁１の開口部２に比し小さい径の中蓋部材３０を支持する相互に接合一体化される中蓋支持盤８１と、この中蓋支持盤８１を上部壁１底面に押し付けるよう固定ベース材８８の下方から進退自在にねじ入れられ、先端縁が中蓋支持盤８１底面に圧止する押し付け部材８９とを備えて成る。なお中蓋支持盤８１は第２の実施の形態におけるものと同様であり、その詳細な説明は省略される。
【００４５】
固定ベース材８８は、例えば地下埋設ボックスＢにおける相対峙する両内側面にそれぞれで固着配置してある左右あるいは前後で対にした支持支柱材８７相互間に例えば地下埋設ボックスＢ自体の内側面に沿って装架することで、上部壁１底面に対しその下方でほぼ平行状に配置され、図示のように例えばボルト、ナット等によってねじ止め固定される。また上部壁１底面との間には中蓋支持盤８１自体の肉厚に比しやや大きな高さを水平部が設定した状態で支持支柱材８７に装架されるものとしてある。
【００４６】
押し付け部材８９は、固定ベース材８８における水平部自体に開穿された雌ネジ孔にねじ入れられる長尺状のねじ材としてあり、この雌ネジ孔に固定ベース材８８の下方からねじ入れられることで先端が固定ベース材８８上方に突出し、中蓋支持盤８１を上方に押し上げて、これの上面を上部壁１底面に押し付けるようにしている。
【００４７】
これによって中蓋支持盤８１を固定配置するには、支持支柱材８７に固定ベース材８８を地下埋設ボックスＢの両内側面に沿って対状に装架固定する一方、分割された半割中蓋支持盤８１Ａを地下埋設ボックスＢ内に差し入れ、接合して組立て、固定ベース材８８上に載置する。このとき、中蓋支持盤８１における接合部位は対状に配置した固定ベース材８８それぞれ上に位置決めされるようにして中蓋支持盤８１自体の載置安定性を考慮したものとする。次いで固定ベース材８８下方から押し付け部材８９をねじ入れてその先端を中蓋支持盤８１底面に圧止して上方に押し上げ、上部壁１底面に押し付けることで、上部壁１底面と押し付け部材８９先端との間で中蓋支持盤８１を挟み込むようにして固定する。その後に、この中蓋支持盤８１に中蓋部材３０を支持配置させればよいのである。
【００４８】
図１７における第４の実施の形態では、いわゆる落とし込み式で中蓋支持手段４０を構成したものであり、上部壁１に開口形成されている開口部２を下方に行くに従い次第に小径となるテーパー状に形成すると共に、中蓋部材３０を載置支持する枠状の中蓋支持枠材９１の外周縁によって開口部２内縁に強制的に係止させるようにしたものである。
【００４９】
図示にあって、中蓋支持枠材９１の外周縁は開口部２におけるテーパー内側面にしっくり当接するほぼ同一傾斜角度のテーパー外側面となっており、開口部２のほぼ半ば高さ位置で当接係止するものとしてある。必要があれば、テーパー内側面とテーパー外側面との間をセメントモルタル材、接着剤等によって接着固定することもできる。もとより中蓋支持枠材９１の外周縁面は傾斜面とされずに鉛直面とされることもあり、ただ、相互面がしっくりと当接するテーパー面とすることで中蓋支持枠材９１の設置安定性を増大できるものである。尚、中蓋部材３０の中蓋支持枠材９１に対するロック装置５０による係脱自在構造は上述したものと変わるところはない。
【００５０】
図１８、図１９における第５の実施の形態では、地下埋設ボックスＢの上部壁１の開口部２内周縁面に取付支持孔９４を外方に向かって適宜間隔で開穿しておき、開口部２の内周径に比しやや小さくした外周径に形成した中蓋支持枠体９５の外周縁面に、取付支持孔９４内に挿入される進退自在な支持圧止ロッド材９６を配装したものである。
【００５１】
取付支持孔９４は、開口部２の内周縁面に例えば等間隔で３個に配列開穿してあり、これに対応して支持圧止ロッド材９６も同位置に対応して３本にして配置してあるも、取付支持孔９４、支持圧止ロッド材９６それぞれを対応位置させて反転阻止手段を設けての２個にしたり、反転阻止手段を設けずとも４個以上の複数にして配置したりしても良いものである。
【００５２】
中蓋支持枠体９５の支持圧止ロッド材９６は、中蓋支持枠体９５の外周縁面に穿設したロッド支持孔９７内にこのロッド支持孔９７から先端部分が突出された状態で、ロッド支持孔９７内に設けた雌ネジ部、例えば空転・移動することなく内蔵配置させたナット材９９にねじ止めしてある。そして、支持圧止ロッド材９６の先端部に形成した回転操作部９８を図示を省略したスパナ等の適宜な回動治具によって把持して回動することで、支持圧止ロッド材９６をロッド支持孔９７から突出させ、取付支持孔９４内に挿入し、複数の支持圧止ロッド材９６による適当な圧止、緊張状態で開口部２内部で中蓋支持枠体９５を支持するものとしてある。
【００５３】
この中蓋支持手段４０による中蓋支持枠体９５の開口部２に対する支持設置は、ロッド支持孔９７内に支持圧止ロッド材９６を収納させた状態にある中蓋支持枠体９５を開口部２内に挿入配置して取付支持孔９４に対向するように支持圧止ロッド材９６を位置決めする。次いで、支持圧止ロッド材９６自体をその回転操作部９８を把持した回動治具によって回転させることで支持圧止ロッド材９６を取付支持孔９４内に挿入し、互いの支持圧止ロッド材９６の取付支持孔９４内への突っ張り状の圧止によって中蓋支持枠体９５を開口部２内に固定支持するのである。その後、必要があれば開口部２の内周縁と中蓋部材３０の外周縁との間の間隙を適宜に閉塞する。尚、中蓋支持枠体９５自体は、上述したような他の実施の形態におけると同様な構成のものであり、構造・形状等において特に異なるものではない。
【００５４】
尚これらの中蓋支持手段４０においては、中蓋部材３０自体はいずれも平面で円形状を呈するものとして形成、図示されているも、図８、図９に示すように平面で矩形状を呈するものであっても同様に実施できることは勿論である。
【００５５】
【発明の効果】
本発明は以上のように構成されているために、開閉蓋２２の加工や取り替えを行うことなく既設の各種の地下埋設ボックスＢに設置でき、第三者の地下埋設ボックスＢ内への無断立入を防止でき、シリンダー錠５３の防塵・防水対策を不要とし中蓋本体部４１の腐食を防止できるものである。
【００５６】
すなわちこれは本発明において、中蓋本体部４１側にロック装置５０を設けてロックを行うと共に、この中蓋本体部４１をダクタル（登録商標）等の断熱性素材にて構成したからであり、これによって開閉蓋２２についてはそのまま加工や取り替えを行うことなく使用しつつ中蓋本体部４１のロックにて第三者の地下埋設ボックスＢ内への無断立入を防止でき、また鉄製の蓋の場合のような錆・塩害による腐食を防止でき、開閉蓋２２側にシリンダー錠を設ける場合のような防塵・防水対策を不要とできるものである。
【００５７】
ロック装置５０で中蓋本体部４１を中蓋支持枠体３１に強固に結合させることにより、簡単な構造で確実に中蓋本体部４１をロックすることができる。
【００５８】
ロック装置５０のロック片６８を揺転させ中蓋支持枠体３１に強固に結合固定し、シリンダー錠５３を挿入配置して施錠した後、ハウジング５１にキャップ５２をはめ込むことにより、第三者によるロック装置５０のロック解除ができないようにすることができる。
【００５９】
中蓋支持手段４０において、第１の開口部２に固着される固定金具３２、第２の上部壁１底面に固着部材８５を介して固着される半割接合式の中蓋支持盤８１、第３の上部壁１底面に押し付け部材８９を介して押し付けられる半割接合式の中蓋支持盤８１、第４の落とし込み式の中蓋支持枠材９１、第５の進退式支持圧止ロッド材９６で支持される中蓋支持枠体９５等のいずれかの選択によって、各種態様の地下埋設ボックスＢ更にはその上部壁１それぞれの構造等に相違に対応して、しかも既設のものにも後付けで中蓋部材３０を設置できる。
【００６０】
半割接合式の中蓋支持盤８１は、分割された半割状の半割中蓋支持盤８１Ａそれぞれを地下埋設ボックスＢ内に挿入した後に、地下埋設ボックスＢ内で組立接合すればよいから、空間的制約がある地下埋設ボックスＢ内でも比較的に容易に設置できる。また地下埋設ボックスＢ内に適当な支持部材がない場合には固着部材８５によって上部壁１に直接に固着でき、例えば配線部材支持用に既設の支持支柱材８７等がある場合にはこれを利用して、支持支柱材８７に装架する固定ベース材８８にねじ止めする押し付け部材８９によって中蓋支持盤８１を上部壁１底面に押し付けることで支持でき、いずれも上部壁１に確実に中蓋支持盤８１を取り付けることで中蓋部材３０をしっかりと支持できる。
【図面の簡単な説明】
【図１】本発明の第１の実施の形態を示す側断面図である。
【図２】同じく中蓋部材の詳細構造を表す一部断面で示す図であり、（ａ）は側面図、（ｂ）は上面図である。
【図３】同じくロック装置の詳細構造を表す図であり、（ａ）は側断面図、（ｂ）は上面図である。
【図４】同じくキャップの詳細構造を表す一部断面で示す図であり、（ａ）は側面図、（ｂ）は上面図である。
【図５】同じくシリンダー錠の詳細構造を表す図であり、（ａ）は側面図、（ｂ）は上面図である。
【図６】同じく軸部材の半割れ凹凸係合部と揺転用治具との係合状態を表す分解斜視図である。
【図７】同じくガイド用スカート部の貫通孔の詳細形状を表す展開図である。
【図８】本発明の他の実施の形態を示す側断面図である。
【図９】同じく上蓋部材及び中蓋部材の構造を表す一部破断上面図である。
【図１０】同じくロック装置の詳細構造を表す図であり、（ａ）は側断面図、（ｂ）は上面図である。
【図１１】本発明の第２の実施の形態を示す分解斜視図である。
【図１２】同じくその要部の分解斜視図である。
【図１３】同じくその要部の側断面図である。
【図１４】本発明の第３の実施の形態における分解斜視図である。
【図１５】同じくその要部の側断面図である。
【図１６】同じくその要部の正断面図である。
【図１７】本発明の第４の実施の形態における側断面図である。
【図１８】本発明の第５の実施の形態における分解斜視図である。
【図１９】同じくその一部切欠平面図である。
【符号の説明】
１…上部壁                          ２…開口部
３…上蓋支持部材                    ４…開口部
５…固定金具                        ５ａ…鉛直部
５ｂ…水平部                        ７…取付ネジ
１０…取付ネジ
２０…上蓋部材                      ２１…蓋外縁部材
２１ａ…略円筒部                    ２１ｂ…取付けブラケット部
２１ｃ…上蓋受け部                  ２２…蓋本体部
２２ａ…リブ                        ２３…内壁面
２４…ピン                          ２５…フック
３０…中蓋部材                      ３１…中蓋支持枠体
３１ａ…下端面                      ３１Ｌ…下枠部
３１Ｕ…上枠部                      ３２…固定金具
３２ａ…鉛直部                      ３２ｂ…水平部
３４…取付ネジ                      ３７…取付ネジ
４０…中蓋支持手段                  ４１…中蓋本体部
４１Ａ…段付き舌部                  ４１ａ…外縁部
４２…取手部                        ４２ａ…把持部
４２ｂ…取付部                      ４４…取付ボルト
４７…係止溝部                      ４９…貫通孔
５０…ロック装置                    ５１…ハウジング
５１Ａ…フランジ部                  ５１ａ…抜け止め鍔部
５１Ｂ…シリンダー錠収納部          ５１Ｃ…揺転係止機構収納部
５２…キャップ                      ５２Ａ…頭部
５２Ｂ…はめ込み部                  ５３…シリンダー錠
５４…揺転係止機構                  ５５…凹部
５６…凸部                          ５７…メネジ部
５８…オネジ部                      ５９…鍔部
６０…シリンダー本体                ６１…回転係止部
６２…鍵穴                          ６３…ロック軸部材
６４…ばね                          ６５…ロック片部材
６６…軸本体                        ６７…半割れ凹凸係合部
６７Ａ…凸部                        ６７Ｂ…凹部
６８…ロック片本体                  ６９…ガイド用突起部
７０…ガイド用スカート部            ７１…ガイドスリット
７５…揺転用治具
８１…中蓋支持盤                    ８１Ａ…半割中蓋支持盤
８２…接続ピン                      ８３…接続挿入孔
８５…固着部材                      ８７…支持支柱材
８８…固定ベース材                  ８９…押し付け部材
９１…中蓋支持枠材                  ９４…取付支持孔
９５…中蓋支持枠体                  ９６…支持圧止ロッド材
９７…ロッド支持孔                  ９８…回転操作部
９９…ナット材
１０４…開口部                      １４８…落下防止部材
１５２…キャップ                    １５２Ａ…磁石
１６７…凹凸係合部                  １６７Ｂ…凹部
Ｂ…地下埋設ボックス                Ｇ…地面
Ｋ…鍵
【図１】
2004346512.tif 000003
【図２】
2004346512.tif 000004
【図３】
2004346512.tif 000005
【図４】
2004346512.tif 000006
【図５】
2004346512.tif 000007
【図６】
2004346512.tif 000008
【図７】
2004346512.tif 000009
【図８】
2004346512.tif 000010
【図９】
2004346512.tif 000011
【図１０】
2004346512.tif 000012
【図１１】
2004346512.tif 000013
【図１２】
2004346512.tif 000014
【図１３】
2004346512.tif 000015
【図１４】
2004346512.tif 000016
【図１５】
2004346512.tif 000017
【図１６】
2004346512.tif 000018
【図１７】
2004346512.tif 000019
【図１８】
2004346512.tif 000020
【図１９】
2004346512.tif 000021